(57)【要約】【課題】接続部材が配設された燃料電池を、燃料電池ケースに収納する場合において、接続部材と外部部材との接続の作業性を向上させつつ、燃料電池ケースの容積拡大を抑制する技術を提供すること。【解決手段】燃料電池を燃料電池ケースに収納する燃料電池収納方法であって、開口部を備え中空な第１ケース構成部材、および、第１ケース構成部材の開口部を塞ぐための蓋であって所定の孔部を備える第２ケース構成部材、から成る燃料電池ケースと、燃料電池と、をそれぞれ用意する。燃料電池ケースの外部にある所定部材と接続される接続部材を、燃料電池に配設する。接続部材が配設された燃料電池を、第１ケース構成部材に開口部から挿入し、接続部材が開口部から飛び出すように第１ケース構成部材内に配置する。燃料電池を挿入後、第２ケース構成部材の孔部に接続部材を通して、第１ケース構成部材の開口部に、第２ケース構成部材を取り付ける。【選択図】図１
2008135330.tif 000002
【特許請求の範囲】
【請求項１】
燃料電池を燃料電池ケースに収納する燃料電池収納方法であって、
（Ａ）開口部を備え中空な第１ケース構成部材、および、前記第１ケース構成部材の前記開口部を塞ぐための蓋であって所定の孔部を備える第２ケース構成部材、から成る前記燃料電池ケースと、前記燃料電池と、をそれぞれ用意する工程と、
（Ｂ）前記燃料電池ケースの外部にある所定部材と接続される接続部材を、前記燃料電池に配設する工程と、
（Ｃ）前記接続部材が配設された前記燃料電池を、前記第１ケース構成部材に前記開口部から挿入し、前記接続部材が前記開口部から飛び出すように前記第１ケース構成部材内に配置する工程と、
（Ｄ）前記燃料電池を挿入後、前記第２ケース構成部材の前記孔部に前記接続部材を通して、前記第１ケース構成部材の前記開口部に、前記第２ケース構成部材を取り付ける工程と、
を備えることを特徴とする燃料電池収納方法。
【請求項２】
請求項１に記載の燃料電池収納方法において、
前記工程（Ｃ）は、前記燃料電池を所定の場所に支持した状態で、前記第１ケース構成部材を移動させることにより、前記燃料電池を前記第１ケース構成部材の前記開口部から内部に挿入することを特徴とする燃料電池収納方法。
【請求項３】
請求項１または請求項２に記載の燃料電池収納方法において、
前記工程（Ｂ）は、
前記燃料電池に、前記燃料電池の運転に用いられる補助装置を配設する工程を含み、
前記工程（Ｃ）は、
前記補助装置が、前記第１ケース構成部材の開口部から飛び出さないように配置する工程を含むことを特徴とする燃料電池収納方法。
【請求項４】
請求項１ないし請求項３のいずれかに記載の燃料電池収納方法において、
前記接続部材は、
前記燃料電池に反応ガスを給排するための反応ガス給排管、前記燃料電池に冷媒を給排するための冷媒給排管、または、前記燃料電池に対する配線、の少なくともいずれか一つを含むことを特徴とする燃料電池収納方法。
【請求項５】
請求項１ないし請求項４のいずれかに記載の燃料電池収納方法において、
前記工程（Ｃ）は、
前記第１ケース構成部材の前記開口部を水平方向に向けて配置する工程と、
前記燃料電池を、前記第１ケース構成部材の開口部から前記水平方向に沿って挿入する工程と、
を含むことを特徴とする燃料電池収納方法。
【請求項６】
請求項１ないし請求項５のいずれかに記載の燃料電池収納方法において、
前記工程（Ｃ）前において、
前記第１ケース構成部材の前記開口部を水平方向に向けて配置する工程と、
水平に配置後、前記燃料電池ケースの前記第１ケース構成部材の上面部に、前記燃料電池ケースを所定の外部装置に配置する場合に前記燃料電池ケースを支持するための支持部材を配設する工程と、
を備えることを特徴とする燃料電池収納方法。
【請求項７】
請求項６に記載の燃料電池収納方法において、
前記工程（Ｄ）後において、前記燃料電池ケースの上面部に配設された前記支持部材が、前記燃料電池ケースの下面部にくるように、前記燃料電池が収納された前記燃料電池ケースを反転させる工程を備えることを特徴とする燃料電池収納方法。
【請求項８】
請求項１ないし請求項７のいずれかに記載の燃料電池収納方法において、
前記第１ケース構成部材は、
２つの開口部を備え、
前記第２ケース構成部材は、
前記第１ケース構成部材の一方の開口部を塞ぎ、前記孔部が設けられる第１蓋と、前記第１ケース構成部材の他方の開口部を塞ぐ第２蓋とから成り、
前記工程（Ｃ）において、
前記燃料電池を、前記第１ケース構成部材のどちらか一方の開口部から前記第１ケース構成部材の側面に沿って内部に挿入し、
前記工程（Ｄ）において、
前記第２蓋を前記第１ケース構成部材の一方の前記開口部に取り付けると共に、前記第１蓋の前記孔部に前記接続部材を通して、前記第１ケース構成部材の他方の前記開口部に前記第１蓋を取り付けることを特徴とする燃料電池収納方法。
【請求項９】
請求項８に記載の燃料電池収納方法において、
前記第２ケース構成部材は、
前記第１蓋に加え、前記第２蓋にも前記孔部が設けられ、
前記工程（Ｄ）において、
前記第２蓋の前記孔部に前記接続部材を通して、前記第１ケース構成部材の一方の前記開口部前記第２蓋を取り付けると共に、前記第１蓋の前記孔部に前記接続部材を通して、前記第１ケース構成部材の他方の前記開口部に前記第１蓋を取り付けることを特徴とする燃料電池収納方法。
【請求項１０】
燃料電池が収納される燃料電池ケースであって、
前記燃料電池には、前記燃料電池ケースの外部にある所定部材と接続される接続部材が配設されており、
前記燃料電池ケースは、
前記燃料電池が出し入れされる開口部を備える中空な第１ケース構成部材と、
前記第１ケース構成部材の前記開口部を塞ぐための蓋であって、前記接続部材が通され、前記接続部材を前記燃料電池ケースの外部に露出させるための孔部を備える第２ケース構成部材と、
を備えることを特徴とする燃料電池ケース。
【発明の詳細な説明】
【技術分野】
【０００１】
本発明は、燃料電池を収納するための燃料電池ケースに関する。
【背景技術】
【０００２】
燃料電池には、反応ガスや冷媒を燃料電池に給排するための給排管や、燃料電池に対する配線などの部材が配設される。燃料電池を車載する場合など、燃料電池を所定の場所に設置する場合には、給排管や配線などをそれぞれ２つに分け、一方の部材を燃料電池と接続させ、他方の部材を設置場所に予め配置し、その設置場所にて、それらを接続するようにしている。以下では、給排管や配線などにおいて、燃料電池側の部材を接続部材とも呼び、設置場所側の部材を外部部材とも呼ぶ。
【０００３】
ところで、上記のように、燃料電池を所定の場所に設置する場合において、燃料電池の保護などのため燃料電池を燃料電池ケースに収納する。この場合には、燃料電池に接続部材を配設し、それを燃料電池ケースに収納後、設置場所において、接続部材と外部部材とを接続する。
【０００４】
接続部材が配設された燃料電池を燃料電池ケースに収納する技術として、例えば、以下の技術が知られている。この技術では、燃料電池ケースを、凹状のケース（以下では、凹状ケースとも呼ぶ）と、凹状ケースの開口部の蓋となるケース蓋とに分けるようにしている。そして、接続部材が配設された燃料電池を、開口部が鉛直方向上向きとなるように配置された凹状ケースに、その開口部を介して全体を収納し、その後、凹状ケースの開口部にケース蓋を被せ、燃料電池ケースに収納するようにしている（下記特許文献１参照）。
【０００５】
【特許文献１】特開２００２−１６５３０９号公報
【発明の開示】
【発明が解決しようとする課題】
【０００６】
しかしながら、上述の技術では、接続部材全体が燃料電池ケース内に収納された状態となり、接続部材と外部部材との接続は、燃料電池ケース内で行なう必要があり、その接続作業が困難となるおそれがあった。また、この場合、燃料電池ケース内で、接続部材と外部部材とが接続されるため、その接続のための作業領域の確保が必要となり、その結果、燃料電池ケースの容積拡大が必要となるおそれがあった。このように燃料電池ケースの容積が拡大してしまうと、例えば、燃料電池を車載する場合など、設置場所などが制限されるおそれがあり、利便性に欠けるおそれがあった。
【０００７】
本発明は、上記課題に鑑みてなされたものであり、接続部材が配設された燃料電池を、燃料電池ケースに収納する場合において、接続部材と外部部材との接続の作業性を向上させつつ、燃料電池ケースの容積拡大を抑制する技術を提供することを目的とする。
【課題を解決するための手段】
【０００８】
上記目的の少なくとも一部を達成するために、本発明の燃料電池収納方法では、
燃料電池を燃料電池ケースに収納する燃料電池収納方法であって、
（Ａ）開口部を備え中空な第１ケース構成部材、および、前記第１ケース構成部材の前記開口部を塞ぐための蓋であって所定の孔部を備える第２ケース構成部材、から成る前記燃料電池ケースと、前記燃料電池と、をそれぞれ用意する工程と、
（Ｂ）前記燃料電池ケースの外部にある所定部材と接続される接続部材を、前記燃料電池に配設する工程と、
（Ｃ）前記接続部材が配設された前記燃料電池を、前記第１ケース構成部材に前記開口部から挿入し、前記接続部材が前記開口部から飛び出すように前記第１ケース構成部材内に配置する工程と、
（Ｄ）前記燃料電池を挿入後、前記第２ケース構成部材の前記孔部に前記接続部材を通して、前記第１ケース構成部材の前記開口部に、前記第２ケース構成部材を取り付ける工程と、を備えることを要旨とする。
【０００９】
上記構成の燃料電池収納方法によれば、接続部材が配設された燃料電池を、燃料電池ケースに収納した場合において、接続部材と外部部材との接続の作業性を向上させつつ、燃料電池ケースの容積拡大を抑制することができる。
【００１０】
上記燃料電池収納方法において、
前記工程（Ｃ）は、前記燃料電池を所定の場所に支持した状態で、前記第１ケース構成部材を移動させることにより、前記燃料電池を前記第１ケース構成部材の前記開口部から内部に挿入するようにしてもよい。このようにすれば、燃料電池を燃料電池ケースに収納するための作業性を向上させることができる。
【００１１】
上記燃料電池収納方法において、前記工程（Ｂ）は、前記燃料電池に、前記燃料電池の運転に用いられる補助装置を配設する工程を含み、前記工程（Ｃ）は、前記補助装置が、前記第１ケース構成部材の開口部から飛び出さないように配置する工程を含むようにしてもよい。このようにすれば、燃料電池ケース内に燃料電池と共に補助装置を収納することができる。
【００１２】
上記燃料電池収納方法において、前記接続部材は、前記燃料電池に反応ガスを給排するための反応ガス給排管、前記燃料電池に冷媒を給排するための冷媒給排管、または、前記燃料電池に対する配線、の少なくともいずれか一つを含むようにしてもよい。
【００１３】
上記燃料電池収納方法において、前記工程（Ｃ）は、前記第１ケース構成部材の前記開口部を水平方向に向けて配置する工程と、前記燃料電池を、前記第１ケース構成部材の開口部から前記水平方向に沿って挿入する工程と、を含むようにしてもよい。このようにすれば、接続部材を第２ケース構成部材の孔部に通しやすくすることができる。
【００１４】
上記燃料電池収納方法において、前記工程（Ｃ）前において、前記第１ケース構成部材の前記開口部を水平方向に向けて配置する工程と、水平に配置後、前記燃料電池ケースの前記第１ケース構成部材の上面部に、前記燃料電池ケースを所定の外部装置に配置する場合に前記燃料電池ケースを支持するための支持部材を配設する工程と、を備えるようにしてもよい。このようにすれば、支持部材を容易に第１ケース構成部材に配設する（取り付ける）ことができる。
【００１５】
上記燃料電池収納方法において、
前記工程（Ｄ）後において、前記燃料電池ケースの上面部に配設された前記支持部材が、前記燃料電池ケースの下面部にくるように、前記燃料電池が収納された前記燃料電池ケースを反転させる工程を備えるようにしてもよい。このようにすれば、燃料電池が収納された燃料電池ケースを所定の場所に設置することが可能となる。
【００１６】
上記燃料電池収納方法において、前記第１ケース構成部材は、２つの開口部を備え、前記第２ケース構成部材は、前記第１ケース構成部材の一方の開口部を塞ぎ、前記孔部が設けられる第１蓋と、前記第１ケース構成部材の他方の開口部を塞ぐ第２蓋とから成り、前記工程（Ｃ）において、前記燃料電池を、前記第１ケース構成部材のどちらか一方の開口部から前記第１ケース構成部材の側面に沿って内部に挿入し、前記工程（Ｄ）において、前記第２蓋を前記第１ケース構成部材の一方の前記開口部に取り付けると共に、前記第１蓋の前記孔部に前記接続部材を通して、前記第１ケース構成部材の他方の前記開口部に前記第１蓋を取り付けるようにしてもよい。
【００１７】
このようにすれば、接続部材の長さを長くすることができ、燃料電池に配設する接続部材の設計の多様性を向上させることができる。
【００１８】
上記燃料電池収納方法において、前記第２ケース構成部材は、前記第１蓋に加え、前記第２蓋にも前記孔部が設けられ、前記工程（Ｄ）において、前記第２蓋の前記孔部に前記接続部材を通して、前記第１ケース構成部材の一方の前記開口部前記第２蓋を取り付けると共に、前記第１蓋の前記孔部に前記接続部材を通して、前記第１ケース構成部材の他方の前記開口部に前記第１蓋を取り付けるようにしてもよい。
【００１９】
このようにすれば、接続部材の長さを長くすることができ、燃料電池に配設する接続部材の設計の多様性を向上させることができる。
【００２０】
上記目的の少なくとも一部を達成するために、本発明の燃料電池ケースでは、
燃料電池が収納される燃料電池ケースであって、前記燃料電池には、前記燃料電池ケースの外部にある所定部材と接続される接続部材が配設されており、前記燃料電池ケースは、前記燃料電池が出し入れされる開口部を備える中空な第１ケース構成部材と、前記第１ケース構成部材の前記開口部を塞ぐための蓋であって、前記接続部材が通され、前記接続部材を前記燃料電池ケースの外部に露出させるための孔部を備える第２ケース構成部材と、を備えることを要旨とする。
【００２１】
上記構成の燃料電池ケースによれば、接続部材が配設された燃料電池を、燃料電池ケースに収納した場合において、接続部材と外部部材との接続の作業性を向上させつつ、燃料電池ケースの容積拡大を抑制することができる。
【００２２】
なお、本発明は、上記した燃料電池収納方法だけでなく、他の方法発明、例えば、燃料電池ケースの組み付け方法など態様で実現することも可能であり、また、上記した燃料電池ケースだけでなく、燃料電池収納システムなどの装置発明の態様で実現することも可能である。
【発明を実施するための最良の形態】
【００２３】
Ａ．実施例：
Ａ１．燃料電池収納方法：
図１は、本発明の一実施例における燃料電池を燃料電池ケースに収納する燃料電池収納方法を説明するためのフローチャートである。以下に、燃料電池を、燃料電池ケースに収納する燃料電池収納方法を、図１〜図６を用いて説明する。なお、この燃料電池ケースに収納される燃料電池は、自動車に搭載（すなわち、車載）される。これについての詳細は、図７を用いて説明する。
【００２４】
図２は、燃料電池１００および燃料電池ケースＸの外観構成を示す図である。図２（ａ）は、燃料電池１００の外観構成を示し、図２（ｂ）は、燃料電池ケースＸの外観構成を示す。本実施例の燃料電池収納方法では、まず、図２に示すように、燃料電池１００、および、燃料電池ケースＸを用意する（図１：ステップＳ１０）。
【００２５】
燃料電池１００は、単セル（図示せず）を積層したスタック構造であり、単セルの積層体をターミナル（図示せず）とインシュレータ（図示せず）で挟み、さらに、図２（ａ）に示すエンドプレート１１０ａ，ｂによって挟持して成る。また、燃料電池１００内部には、反応ガスや冷却液を単セルに給排するためのマニホールド（図示せず）が設けられ、燃料電池１００のエンドプレート１１０ａには、図２（ａ）に示すように、これらマニホールドと接続されるマニホールド開口１０ａ〜１０ｆが設けられている。
【００２６】
燃料電池ケースＸは、図２（ｂ）に示すように、筒状な立方体である筒状ケース２００と、筒状ケース２００の開口部２００ａ，２００ｂの蓋となるケース蓋２１０，２２０とから構成される。ケース蓋２１０には、後述する接続部材を通すための複数の孔部２１５が備えられている。ケース蓋２２０にも、後述する接続部材を通すための複数の孔部２２２が備えられている。この燃料電池ケースＸは、比較的軽い材料（樹脂など）で形成され、また、高度なシール機能を有していなくてもよい。なお、燃料電池１００、および、筒状ケース２００において、上面、下面を図２（ａ）,（ｂ）に示すように定める。
【００２７】
図３は、燃料電池１００に接続部材および補助装置４０が配設されたアセンブリを示す図である。続いて、図３に示すように、燃料電池１００に、反応ガスや冷媒を燃料電池に給排するための給排管２０ａ〜２０ｆと、配線３０ａ，ｂと、補助装置４０とを配設する（図１：ステップＳ２０）。この場合、給排管２０ａ〜２０ｆについては、一方の端部をマニホールド開口１０ａ〜１０ｆとそれぞれ接続させる。この給排管２０ａ〜２０ｆの他方の端部は、エンドプレート１１０ａ，ｂの面方向であってＡ方向（図３参照）に向けられ、燃料電池１００が車載された際に、自動車側に配置される給排管とそれぞれ接続される。また、配線３０ａ，ｂについては、一方の端部を、燃料電池１００のターミナルにそれぞれ接続させる。この配線３０ａ，ｂの他方の端部は、後述のように、燃料電池１００が車載された際に、自動車側に配置される配線とそれぞれ接続される。補助装置４０は、燃料電池１００の運転に用いられる装置であり、例えば、水素ポンプ、レギュレータ、バルブ、電圧センサ、電流センサ、温度センサ、および、圧力センサなどが含まれる。この補助装置４０は、補助装置カバー４１内であって、エンドプレート１１０ａの側面において、マニホールド開口１０ａ〜１０ｆを避けて配設される。なお、上記接続部材のＡ方向における長さは、筒状ケース２００のＡ方向における長さより長くなっている。
【００２８】
図４は、第１ケース構成部材に支持部材２５０が仮固定されたアセンブリを示す図である。次に、図４に示すように、筒状ケース２００の上面部に、燃料電池１００を車載した際に燃料電池１００を支持するための支持部材２５０の一部を仮固定する（図１：ステップＳ３０）。この支持部材２５０は、クロスメンバ２５０Ｂ（２本）と、マウントメンバ２５０Ａ（２本）と、マウント２５０Ｃ（図４では、示されていない）とから構成される。クロスメンバ２５０Ｂおよびマウントメンバ２５０Ａは、柱状の金属材料（例えば、鉄、アルミ、ステンレスなど）で構成される。これらクロスメンバ２５０Ｂおよびマウントメンバ２５０Ａは、図４に示すように、井桁状に組み合わされて構成される。具体的には、支持部材２５０のうち、クロスメンバ２５０Ｂと、マウントメンバ２５０Ａとを、ケースボルト（図示せず）等で、筒状ケース２００の上面部に仮固定する。この場合、マウント２５０Ｃは、まだ、取り付けない。なお、これら支持部材２５０は、マウントボルト（図示せず）によって、燃料電池１００（エンドプレート１１０ａ，１１０ｂ）と固定されることになるが、詳細は後述する。また、燃料電池１００を車載する場合に、支持部材２５０が自動車に固定されるが、この詳細についても、後述する。
【００２９】
図５は、接続部材等が配設された燃料電池１００を筒状ケース２００内に挿入する様子を示す図である。続いて、図５（ａ）に示すように、水平に設置される支持アーム３００で、接続部材等が配設された燃料電池１００のエンドプレート１１０ａ，ｂを、燃料電池１００の上面および下面が水平となるように支持させる。この支持アーム３００は、鉛直に立つ支持柱３１０に固定されており、また、端部３００ａがエンドプレート１１０ａ，ｂと所定のボルト（図示せず）等によって固定される。これにより、支持アーム３００は、燃料電池１００を支持することができる。
【００３０】
そして、図５（ｂ）に示すように、支持部材２５０が仮固定された筒状ケース２００をＡ方向に水平移動させ、筒状ケース２００の側面に沿うようにして、筒状ケース２００内に燃料電池１００を挿入する（図１：ステップＳ４０）。この場合、図５（ｂ）に示すように、筒状ケース２００の開口部２００ａ，２００ｂから、燃料電池１００に配設された各接続部材（給排管２０ａ〜２０ｆ、配線３０ａ，ｂ）が外部（Ａ方向）に飛び出した状態となる。一方、補助装置４０（補助装置カバー４１）は、筒状ケース２００内部に収納された状態となる。その後、筒状ケース２００の上面部に仮固定されたクロスメンバ２５０Ｂおよびマウントメンバ２５０Ａにマウント２５０Ｃを取り付け、これらをマウントボルト（図示せず）によって、燃料電池１００のエンドプレート１１０ａ，１００ｂに固定する。
【００３１】
筒状ケース２００内に燃料電池１００を挿入した後、支持アーム３００（端部３００ａ）をエンドプレート１１０ａ，ｂから外し、燃料電池１００が挿入された筒状ケース２００を所定の場所に置く。
【００３２】
図６は、燃料電池１００が挿入された筒状ケース２００にケース蓋２１０，２２０を取り付ける様子を示す図である。最後に、図６（ａ）に示すように、燃料電池１００が収納された筒状ケース２００の各開口部２００ａ，２００ｂに、ケース蓋２１０およびケース蓋２２０を取り付ける（ステップＳ５０）。この場合、上述したように、筒状ケース２００の各開口部２００ａ，２００ｂからは、接続部材が飛び出した状態である。従って、筒状ケース２００において、手前側の開口部２００ａに、ケース蓋２２０を取り付ける場合（図６（ａ）参照）には、ケース蓋２２０を水平に移動させつつ、開口部２００ａから飛び出した各接続部材（給排管２０ａ，ｂ，ｃなど）をそれぞれ各孔部２２２に通し、筒状ケース２００にケース蓋２２０を取り付ける。また、筒状ケース２００において、向こう側の開口部２００ｂに、ケース蓋２１０を取り付ける場合（図６（ａ）参照）には、ケース蓋２１０を水平に移動しつつ、開口部２００ｂから飛び出した各接続部材（給排管２０ｄ，ｅ，ｆおよび配線３０ａ，ｂなど）をそれぞれ各孔部２１５に通し、筒状ケース２００にケース蓋２２０を取り付ける。さらに、この場合、ケース蓋２１０およびケース蓋２２０の各孔部２１５および孔部２２２に、グロメット３５を取り付けた状態で、各接続部材を通すようにしている。図６（ｂ）には、筒状ケース２００の開口部２００ａ，２００ｂにケース蓋２１０およびケース蓋２２０を取り付けた後の様子を示す。
【００３３】
その後、上述のようにして、燃料電池ケースＸ内に燃料電池１００が収納されたアセンブリ（以下では、アセンブリＹとも呼ぶ）を、上面と下面とが入れ替わるように、反転させる（ステップＳ６０）。
【００３４】
Ａ２．燃料電池ケースの車載時の説明：
図７は、燃料電池ケースＸ内に燃料電池１００が収納されたアセンブリＹを車載した様子を示す模式図である。上面と下面とが入れ替えられたアセンブリＹは、以下のようにして車載される。具体的には、図７に示すように、自動車のフロアパネル（図示せず）下にあるサイドフレームに、支持部材２５０のクロスメンバ２５０Ｂにおいて各端部に設けられる孔部２７０にビス２８０を通し、クロスメンバ２５０Ｂとサイドフレームとを固定する。これにより、アセンブリＹと自動車とが固定され、すなわち、アセンブリＹが車載される。また、この場合、アセンブリＹにおける給排管２０ａ〜２０ｆおよび配線３０ａ，ｂは、自動車に予め配置される外部部材（給排管（図示せず）および配線（図示せず））にそれぞれ接続される。
【００３５】
以上のように、本実施例の燃料電池収納方法では、配設される燃料電池１００を筒状ケース２００内に挿入した際、接続部材が筒状ケース２００の開口部２００ａ，２００ｂから飛び出した状態となっている。そして、ケース蓋２１０およびケース蓋２２０の孔部２１５および孔部２２２に、それぞれ各接続部材を通して、ケース蓋２１０およびケース蓋２２０を筒状ケース２００に取り付けるようにしている。このようにすれば、燃料電池１００に配設された接続部材は、燃料電池ケースＸの外に露出することと成り、接続部材と外部部材との接続作業の作業性を向上させることができる。また、燃料電池ケースＸ内に、接続部材と外部部材との接続作業のための作業領域を確保する必要がないので、燃料電池ケースＸの容積拡大を抑制することが可能となる。
【００３６】
本実施例の燃料電池収納方法では、燃料電池１００を筒状ケース２００に挿入した後、ケース蓋２１０およびケース蓋２２０を取り付けるようにしている。このようにすれば、比較的軽いケース蓋２１０やケース蓋２２０を移動させ、接続部材を各ケース蓋の孔部に通すことで、接続部材を外部に露出させることができる。従って、比較的重い燃料電池１００を移動させつつ、接続部材を燃料電池ケースＸの外部に露出させるようにする方法と比較して、作業性を向上させることができる。
【００３７】
また、本実施例の燃料電池収納方法では、燃料電池１００を支持アーム３００で支持しつつ、筒状ケース２００を移動させ、筒状ケース２００内に燃料電池１００を挿入するようにしている。このようにすれば、比較的軽い筒状ケース２００を移動させることで、筒状ケース２００内に燃料電池１００を挿入することができ、この作業性を向上させることができる。
【００３８】
本実施例の燃料電池収納方法では、燃料電池１００を筒状ケース２００に水平方向に移動させて挿入し、その状態で、ケース蓋２１０およびケース蓋２２０を取り付けるようにしている。このようにすれば、接続部材を各ケース蓋の孔部に通しやすくすることができると共に、その孔部にグロメット３５を取り付けやすくすることができる。
【００３９】
本実施例の燃料電池収納方法では、筒状ケース２００の上面部に、支持部材２５０を配設するようにしている。このようにすれば、支持部材２５０を筒状ケース２００の側面部や下面部に配設する場合と比較して、容易に筒状ケース２００に配設する（取り付ける）ことができる。
【００４０】
上記筒状ケース２００は、対向する２つの開口部２００ａ，２００ｂを備えている。そして、本実施例の燃料電池収納方法では、その筒状ケース２００の各開口部２００ａ，２００ｂにそれぞれケース蓋２１０，２２０を取り付けるようにしている。このようにすれば、筒状ケース２００における各開口部２００ａ，２００ｂが向く方向（Ａ方向：図３参照）に接続部材を伸ばして配設することができる。そのため、筒状ケース２００に接続部材を通すための孔部を設ける必要がない。
【００４１】
なお、筒状ケース２００は、請求項における第１ケース構成部材に該当し、ケース蓋２１０およびケース蓋２２０は、請求項における第２ケース構成部材に該当し、給排管２０ａ〜ｆおよび配線３０ａ,ｂは、請求項における接続部材に該当し、支持部材２５０は、請求項における支持部材に該当する。
【００４２】
Ｂ．変形例：
なお、本発明では、上記した実施の形態に限られるものではなく、その要旨を逸脱しない範囲において種々の態様にて実施することが可能である。
【００４３】
Ｂ１．変形例１：
上記実施例では、燃料電池ケースＸの筒状ケース２００は、筒状な直方体としているが、本発明は、これに限られるものではない。筒状ケース２００は、少なくとも一つの開口部を備える中空体であればよく、例えば、コの字状のケースや、筒状円柱体であってもよい。なお、この場合、燃料電池１００の形状もこのケース形状に合わせることが好ましい。このようにしても上記実施例の効果を奏することができる。
【００４４】
Ｂ２．変形例２：
上記実施例では、燃料電池１００を支持アーム３００で水平に支持するようにして、筒状ケース２００を水平移動させて、燃料電池１００を筒状ケース２００内に挿入するようにしていたが、本発明は、これに限られるものではない。例えば、燃料電池１００を支持アーム３００で、燃料電池１００の上面、下面が重力方向（鉛直方向）を向くように支持するようにして、筒状ケース２００を鉛直方向に移動させて、燃料電池１００を筒状ケース２００内に挿入するようにしてもよい。
【００４５】
Ｂ３．変形例３：
上記実施例では、燃料電池収納方法（図１）において、ステップＳ３０の工程で、筒状ケース２００に支持部材２５０を仮固定し、ステップＳ５０の工程で、そのアセンブリに燃料電池１００を挿入した後、支持部材２５０を燃料電池１００のエンドプレート１１０ａ，１１０ｂに固定するようにしているが、本発明は、これに限られるものではない。例えば、燃料電池収納方法（図１）において、ステップＳ３０の工程では、筒状ケース２００に仮固定することなく、ステップＳ５０の工程で、筒状ケース２００に燃料電池１００を挿入後、筒状ケース２００の上面部に支持部材２５０を配設すると共に、マウントボルトによって、支持部材２５０と燃料電池１００（エンドプレート１１０ａ，１１０ｂ）とを固定するようにしてもよい。
【図面の簡単な説明】
【００４６】
【図１】本発明の一実施例における燃料電池を燃料電池ケースに収納する燃料電池収納方法を説明するためのフローチャートである。
【図２】燃料電池１００および燃料電池ケースＸの外観構成を示す図である。
【図３】燃料電池１００に接続部材および補助装置４０が配設されたアセンブリを示す図である。
【図４】第１ケース構成部材に支持部材２５０が仮固定されたアセンブリを示す図である。
【図５】接続部材等が配設された燃料電池１００を筒状ケース２００内に挿入する様子を示す図である。
【図６】燃料電池１００が挿入された筒状ケース２００にケース蓋２１０，２２０を取り付ける様子を示す図である。
【図７】燃料電池ケースＸ内に燃料電池１００が収納されたアセンブリＹを車載した様子を示す模式図である。
【符号の説明】
【００４７】
２０...給排管
３０...配線
４０...補助装置
１００...燃料電池
１１０...エンドプレート
２００...筒状ケース
２１０...ケース蓋
２１５...孔部
２２０...ケース蓋
２２２...孔部
２５０...支持部材
２５０Ａ...マウントメンバ
２５０Ｂ...クロスメンバ
２５０Ｃ...マウント
３００...支持アーム
Ｘ...燃料電池ケース
【図１】
2008135330.tif 000003
【図２】
2008135330.tif 000004
【図３】
2008135330.tif 000005
【図４】
2008135330.tif 000006
【図５】
2008135330.tif 000007
【図６】
2008135330.tif 000008
【図７】
2008135330.tif 000009